(57)【要約】【課題】低消費電力化、低発熱化を図り、きらきらした光のような高輝度の光の供給を可能にしたハロゲンランプ及びハロゲンランプ照明システムの提供。【解決手段】略半球殻状に形成され、この略半球殻状の大径側の前端部に開口部２ｂを有し、ハロゲン電球３の発光のうち所定の波長域の光を背面部２ａから透過可能なダイクロイックミラー２と、前記ダイクロイックミラー２の前記開口部２ｂに設けられ、前記ハロゲン電球３の発光を反射する反射体８とからなっている。前記ダイクロイックミラー２の背面部２ａから、前記ハロゲン電球３の光がきらきらした高輝度の光として放射されるようにした。【選択図】図２
2007134216.tif 000002
【特許請求の範囲】
【請求項１】
ハロゲン電球（３）を構成する本体であって、大径側の前端部に開口部（２ｂ）を有した略半球殻形状で、かつ前記ハロゲン電球（３）が発光する光を透過する透明ガラス基体（４）と、
前記開口部（２ｂ）に設けられ、前記ハロゲン電球（３）の発光を反射する反射体（８）と
からなるハロゲンランプ。
【請求項２】
ハロゲン電球（３）を構成する本体であって、大径側の前端部に開口部（２ｂ）を有した略半球殻形状で、かつ前記ハロゲン電球（３）が発光する光を透過する透明ガラス基体（４）と、
前記透明ガラス基体（４）の内側表面に形成され、前記ハロゲン電球（３）の発光のうち所定の波長域の光を前記透明ガラス基体（４）の背面部（２ａ）から透過可能なダイクロイックミラー（２）と、
前記開口部（２ｂ）に設けられ、前記ハロゲン電球（３）の発光を反射する反射体（８）と
からなるハロゲンランプ。
【請求項３】
請求項１又は２に記載されたハロゲンランプであって、
前記反射体（８）は、
前記開口部（２ｂ）に設けられる前面ガラス（７）と、
この前面ガラス（７）の前記ハロゲン電球（３）側の面の一部、又は全部に被膜され、前記ハロゲン電球（３）の発光を反射するための反射コーティング膜（８ａ）により形成されている
ことを特徴とするハロゲンランプ。
【請求項４】
請求項２に記載されたハロゲンランプであって、
前記透明ガラス基体（４）の外側表面には、凹凸形状が形成されている
ことを特徴とするハロゲンランプ。
【請求項５】
請求項３に記載されたハロゲンランプであって、
前記反射コーティング膜（８ａ）は、部分的に異なる波長域の透過特性を備えたものである
ことを特徴とするハロゲンランプ。
【請求項６】
請求項１〜５のいずれかの項に記載されたハロゲンランプ（１）を用いたハロゲンランプ照明システムにおいて、
請求項１〜５のいずれかの項に記載された複数のハロゲンランプ（１）と、
床面、壁面及び天井から選択される１以上に設けられ、前記ハロゲンランプを設置するための設置基体と、
対象物を照明するための照明用のランプ（１４，１６，１７，２０）と
からなることを特徴とするハロゲンランプ照明システム。
【発明の詳細な説明】
【技術分野】
【０００１】
本発明は、ハロゲンランプ及びハロゲンランプ照明システムに関し、特にスポット照明に好適なハロゲンランプ及びハロゲンランプ照明システムに関する。
【背景技術】
【０００２】
一般なスポット照明として、ハロゲンランプが多く使用されている。このようなハロゲンランプは、半球殻構造のダイクロイックミラーの内部に設けられている。そして、ハロゲンランプの発光を、ダイクロイックミラーの半球殻構造の内面に反射させている。ダイクロイックミラーはその前面の開口端に設けられた前面ガラスを透過させて、必要な照射光を前方へ発光する。この前面ガラスから照射された光は、店舗等において被対象物をスポット照明として所定の照度で照射する。
【０００３】
また、ハロゲンランプに関する先行技術としては、配光特性の乱れと発光効率の低下を防止するもの（例えば、特許文献１参照）、前方照射面の色度低下や配光の乱れ、色むらを抑制するもの（例えば、特許文献２参照）等が知られている。
【特許文献１】特開平５−８２１０５号公報
【特許文献２】特開平５−８２１０８号公報
【発明の開示】
【発明が解決しようとする課題】
【０００４】
しかしながら、従来のハロゲンランプは、その消費電力の割に光束が弱く、照明対象に光が届かないような使い方がされている。それにも関わらずハロゲンランプが店舗等で多用されている理由は、照明器具としての使用ではなく、小売店、飲食店、アミューズメント施設等の空間において、ハロゲンランプが発する波長領域が、顧客の購買意欲を増加させる、食欲を増進させる、ゲーム等の興奮をかき立てる等の効果が経験的に知られているためである。
【０００５】
また、ハロゲンランプの特性から、ハロゲンランプ自体が高熱になり、この輻射熱により照明している商品を劣化させるという問題点もあった。更に、ハロゲンランプ自体の発熱は、ハロゲンランプの数が多くなると、空調設備の稼働、特に夏季の稼働率が高くなる問題もあった。即ち、照明用のエネルギーが熱に転化し、結果として空調設備の電力消費量が増加し、経済的負担も大きくなる。
【０００６】
更に、従来のハロゲンランプは、発熱量が大きいので、ヒーターの熱源としても使用されている。このためにハロゲンランプの設置する場所付近の材料によってはその材料が発火するおそれがある。このため防災上の観点から設置する場所も限られており、インテリアとしての活用の幅が限られていた。
【０００７】
本発明はこのような問題点を解決するためになされたもので、次の目的を達成する。
【０００８】
本発明の目的は、低消費電力化、低発熱化を図ったハロゲンランプ及びハロゲンランプ照明システムを提供することにある。
【０００９】
本発明の他の目的は、華やかさ、賑やかさ等の光による装飾効果を高めたハロゲンランプ及びハロゲンランプ照明システムを提供することにある。
【課題を解決するための手段】
【００１０】
本発明は、前記課題を解決するために次の手段をとる。
【００１１】
本発明１のハロゲンランプは、
ハロゲン電球（３）を構成する本体であって、大径側の前端部に開口部（２ｂ）を有した略半球殻形状で、かつ前記ハロゲン電球（３）が発光する光を透過する透明ガラス基体（４）と、前記開口部（２ｂ）に設けられ、前記ハロゲン電球（３）の発光を反射する反射体（８）とからなる。
【００１２】
本発明２のハロゲンランプは、ハロゲン電球（３）を構成する本体であって、大径側の前端部に開口部（２ｂ）を有した略半球殻形状で、かつ前記ハロゲン電球（３）が発光する光を透過する透明ガラス基体（４）と、前記透明ガラス基体（４）の内側表面に形成され、前記ハロゲン電球（３）の発光のうち所定の波長域の光を前記透明ガラス基体（４）の背面部（２ａ）から透過可能なダイクロイックミラー（２）と、前記開口部（２ｂ）に設けられ、前記ハロゲン電球（３）の発光を反射する反射体（８）とからなる。
【００１３】
本発明３のハロゲンランプは、本発明１又は２のハロゲンランプであって、
前記反射体（８）は、前記開口部（２ｂ）に設けられる前面ガラス（７）と、この前面ガラス（７）の前記ハロゲン電球（３）側の面の一部、又は全部に被膜され、前記ハロゲン電球（３）の発光を反射するための反射コーティング膜（８ａ）により形成されていることを特徴とする。
【００１４】
本発明４のハロゲンランプは、本発明２のハロゲンランプであって、
前記透明ガラス基体（４）の外側表面には、凹凸形状が形成されていることを特徴とする。
【００１５】
本発明５のハロゲンランプは、本発明３のハロゲンランプであって、
前記反射コーティング膜（８ａ）は、部分的に異なる波長域の透過特性を備えたものであることを特徴とする。
【００１６】
本発明６のハロゲンランプ照明システムは、本発明１〜５のハロゲンランプ（１）を用いたハロゲンランプ照明システムにおいて、
本発明１〜５のいずれかの複数のハロゲンランプ（１）と、床面、壁面及び天井から選択される１以上に設けられ、前記ハロゲンランプを設置するための設置基体と、対象物を照明するための照明用のランプ（１４，１６，１７，２０）とからなることを特徴とする。
【発明の効果】
【００１７】
上述したように、本発明のハロゲンランプは、希望する色光、又は部分的に高輝度の光を放射することができる。すなわち、壁、天井、商品等の被対象物の照度を高くするための照明ではなく、空間の華やかさ、賑やかさ等の装飾的な照明手段として用いることができる。
【００１８】
また、本発明のハロゲンランプは、従来のハロゲンランプと同等の人間に与える光による装飾効果を、低消費電力で得ることができので、省エネルギー化できた。更に、従来のハロゲンランプに比べて、発熱量が少なく長時間ハロゲンランプで被対象物を照射していても、店舗等の室内温度が上昇することがない。これにより室内温度の調節のために空調設備の電力消費量を抑えることができる。更に、そのハロゲンランプ交換等のメンテナンス時に、ハロゲンランプに触れても火傷することなどがなく安全性が高い。更に、ハロゲンランプ１灯あたりの消費電力が小さいので、１台の電源部で、複数のハロゲンランプの点灯ができ、配線構造を簡素化できる。
【００１９】
更に、本発明のハロゲンランプは、従来のハロゲンランプに比べて、発熱量が少ないので、陳列された食品の腐敗等商品の品質劣化、室内インテリアにおける家具のいたみ発生、飾り花の寿命の低下等が早まることがなくなった。このため、展示場、飲食店、アミューズメント施設等において設置する数、場所の制限が少なくなり、様々な効果を狙ったライトアップによる活用の幅が大きく広がった。
【００２０】
更に、本発明のハロゲンランプ、及び照明機器を採用したハロゲンランプ照明システムは、光装飾効果の高い色光、部分的に高い輝度で商品等の被対象物、又はその環境空間を照射するので、小売店等での商品イメージの向上、または飲食店、アミューズメント施設等においてのお客の心理に与える華やかさ、賑やかさ等を演出することできる。
【発明を実施するための最良の形態】
【００２１】
以下、本発明の実施の形態を図面に基づいて説明する。図１は、本発明のハロゲンランプの断面図、図２は、ハロゲンランプの光の軌跡をあらわした説明図、図３は、ハロゲンランプの電気接続状態を示した説明図である。図４（ａ），（ｂ）は、本発明のハロゲンランプを採用した床置きタイプ照明機器の正面図、図５は、本発明のハロゲンランプを採用した天井設置タイプ照明機器の正面図、図６（ａ）、（ｂ）は、本発明のハロゲンランプを採用した壁面設置タイプ照明機器であり、図６（ａ）は正面図、図６（ｂ）は断面図、図７は、本発明のハロゲンランプが採用された商品陳列棚の斜視図である。
【００２２】
〔ハロゲンランプの実施の形態１〕
図１ないし図３に従って、本実施の形態１のハロゲンランプの構造、機能の詳細を説明する。ハロゲンランプ１は、半球殻形状のダイクロイックミラー２と、ダイクロイックミラー２に内蔵されたハロゲン電球３と、ダイクロイックミラー２の前端面の開口部に設けられる反射体８とからなっている。ダイクロイックミラー２は、半球殻形状、又は略半球殻形状の透明ガラス基体４と、この透明ガラス基体４の内周面に被膜された多層膜４ａにより形成されている。ダイクロイックミラー２は、屈折率の異なる誘電体物質の多層膜４ａにより、特定の波長を反射させ、必要とする他の波長域の光を透過させるものである。即ち、ダイクロイックミラー２の背面部２ａは、所定の波長域の光（例えば、可視光）を透過させる部位となっている。また、ダイクロイックミラー２には、前面に開口部２ｂが形成されている。
【００２３】
開口部２ｂには、反射体８が挿入され固着されている。このように開口部を閉じることによりハロゲン電球３を保護すると共に、ハロゲン電球３からの光を反射する機能を果たしている。反射体８は、前面ガラス７と、前面ガラス７に被膜されている反射コーティング膜８ａとから形成されている。反射コーティング膜８ａは、前面ガラス７の内側（ハロゲンランプ側）の面に、ほぼ全面にわたって被膜されている。ダイクロイックミラー２には、半球殻形状の底部中央部にネック部９ｂが後方に突出するように一体に形成されている。ネック部９ｂには、挿通孔９ａが穿設されている。
【００２４】
この挿通孔９ａに、ハロゲン電球３の口金部５が固定部材５ａを介して固定されている。ハロゲン電球３の口金部５の後方には、ハロゲン電球３に所定の電力を供給するための受電ピン１０ａ，１０ｂが設けられている。受電ピン１０ａ，１０ｂは、電源部（例えば、１２Ｖ，５０Ｗの電源トランス）５０に接続され、所定の電力（例えば、５Ｗ）が供給され、点灯する。このハロゲンランプ１は、低電力の供給で点灯可能であり、低出力の電源部５０（図３参照）でも、分岐端子部５１等を介することで複数（例えば、１０個）のハロゲンランプ１の点灯が可能である。従って、ハロゲンランプ１は、人間に与える光による装飾効果を、例えば１／５から１／１０の低消費電力で従来のハロゲンランプと同等の効果を得ることができる。
【００２５】
次に本実施の形態の作用を説明する。一対の受電ピン１０ａ、１０ｂ間に所定の電力（例えば、５〜１０Ｗ）を供給すると、フィラメント１１が白熱発光し、その発光はダイクロイックミラー２と反射体８の反射コーティング膜８とを投射する。ダイクロイックミラー２は、この投射光を外部に透過させる。反射体８の反射コーティング膜８ａでは、これらの投射光を反射させてダイクロイックミラー２に反射光として投射させる。
【００２６】
図２は、この実施の形態における光の軌跡をあらわしたものである。ハロゲン電球３の発光Ｌａ、及び、ハロゲン電球３の発光Ｌａが反射体８の反射コーティング膜８ａで反射した反射光Ｌｂは、ダイクロイックミラー２を通じて外部に放射される。このことにより星のようなキラキラとした輝度感を増した光、すなわち、部分的に高輝度になっている光、又は７色に分解された光が被対象物を照射する。
【００２７】
なお、本実施の形態１のハロゲンランプ１は、透明ガラス基体４の内周面に多層膜４ａを被膜して、特定の波長を反射させ、必要とする他の波長域の光を透過させるものである。しかしながら、この透明ガラス基体４の多層膜４ａは、必ずしも形成する必要はない。ハロゲン電球３から発せられた光は、透明ガラス基体４により分光されて、単色、又は多色光となり、装飾効果を発揮できる。また、本実施の形態１の反射体８の前面は、平面状であったが、デザイン上の観点から球、多角形状、多面体等であっても良い。
【００２８】
〔ハロゲンランプを採用した照明システム１〕
図４は、本実施の形態のハロゲンランプを採用した床置きタイプの照明システムの正面図であり、図４（ａ）は支柱を有するタイプ、図４（ｂ）は支柱がないタイプの図である。図４（ａ）において、照明器具１４は、床面上に設置された設置基台１２と、設置基台１２に立設された支柱１３ａ，１３ｂ，１３ｃ、この支柱１３ａ，１３ｂ，１３ｃの各々の先端部に設けられたハロゲンランプ１ａ，１ａ，・・等からなっている。
【００２９】
この照明器具１４は、前述した複数のハロゲンランプ１を点灯することにより室内に適度な明るさを与え、装飾効果を上げることができる。また、家具や飾り花等の室内インテリアに星のようなキラキラとした光をあてることにより立体感を強調することで、室内インテリアを魅力あるものに見せることができ、より装飾効果をあげることができる。
【００３０】
図４（ｂ）において、照明器具１６は、床面上に設置された設置基台１５と、この設置基台１５の取り付け部（図示せず）に取り付けられたハロゲンランプ１ｂとからなっている。この照明器具１６は、いわゆる電気スタンドのように枕元などに置くのに好適である。すなわち、照明器具１６自体が低く形成されて転倒しにくくなっている。また、転倒した場合、仮に燃えやすい布団のようなものの上に転倒したとしても、発熱量が少ないため発火することはなく安全性が高く防災上も優れている。
【００３１】
〔ハロゲンランプを採用した照明システム２〕
図５は、本実施の形態のハロゲンランプを採用した天井面に設置するタイプの照明システムの正面図である。図５において、照明器具１７は、天井面１７ａに設置された設置基台１８と、設置基台１８から吊り下げられているコード１９ａ，１９ｂ，１９ｃ，１９ｄと、コード１９ａ，１９ｂ，１９ｃ，１９ｄの各々の先端部に設けられたハロゲンランプ１ｃとからなっている。この照明器具１７はきらきらした光を放射するので、装飾効果に優れている。
〔ハロゲンランプを採用した照明システム３〕
図６は、本実施の形態のハロゲンランプを採用した壁面に設置するタイプの照明システムであり、図６（ａ）は正面図、図６（ｂ）は断面図である。照明器具２０は、壁面２２に設置された複数のハロゲンランプ１ｄで構成されている。また、このハロゲンランプ１ｄの前面に壁面２２と平行な位置に強化ガラス２１が設置されているとよい。
【００３２】
ハロゲンランプ１ｄ設置側の反対側の面（図６の矢印Ｂ側）から強化ガラス２１の面をみると、ハロゲンランプ１ｄがリング状に輝き、従来のハロゲンランプにはないビジュアルなものとすることができる。また、ハロゲンランプ１ｄを消灯すると強化ガラス２１の前面は完全にミラー状態とすることができ、従来のハロゲンランプとは完全に異なるビジュアルのものに変化する。さらに、低発熱であるため、さまざまな場所に設置することが可能であり、インテリア・デザインの可能性が広がる。
【００３３】
〔ハロゲンランプを採用した商品陳列棚〕
図７は、本実施の形態のハロゲンランプが採用された商品陳列棚の斜視図である。図７において、天井面より吊り下げられたレールコンセント２３の下面２６に溝２７が設けられてる。この溝２７内に、照明具２４ａ〜２４ｈのプラグが接続可能な電極が用意されている。照明具２４ａ〜２４ｈは、商品陳列棚２８に陳列された商品（図示せず）を適度な明るさに照らすものである。レールコンセント２３に照明具２４ａ〜２４ｈが回転可能に嵌め込まれて設置されている。
【００３４】
また、商品陳列棚２８には上部２９の下面側にもハロゲンランプ２５ａ〜２５ｅが設置され、商品陳列棚２８の棚部３０上に陳列された商品（図示せず）を照らしている。食品陳列棚２８の上部２９に設置されたハロゲンランプ２５ａ〜２５ｅは発熱量が少ないため、このハロゲンランプ２５ａ〜２５ｅの発熱により商品の品質劣化（例えば、生鮮食品の腐敗等）が進行するようなことがない。また、このハロゲンランプ２５ａ〜２５ｅ等は、星のようなキラキラとした光を発する。これにより食肉、魚介、野菜、果物等陳列した商品の新鮮さ、みずみずしさなどをきわださせて見せることができる。また、水滴がついているような商品（食品）にハロゲンランプ２５ａ〜２５ｅの光を照射することにより、照射光がさまざまな方向に乱反射し、さらに、新鮮さ、みずみずしさを強調し、お客の購買意欲の高めることができる。
【００３５】
〔ハロゲンランプの実施の形態２〕
図８（ａ）は、本発明の実施の形態２のハロゲンランプの外観図である。前述した実施の形態１のハロゲンランプ１は、ダイクロイックミラー２の前端面の開口部に可視光を反射する反射体８が配置されている。この前面ガラス７には反射コーティング膜８ａがコーティングされている。本実施の形態２のハロゲンランプ１は、この反射コーティング膜８ａを施さない円形部分３１を配置したものである。
【００３６】
このために、この円形部分３１から点状の可視光が漏れることになる。この結果、本実施の形態２のハロゲンランプ１は、背面であるダイクロイックミラー２からの投射光を外部に透過させ、かつ同時に前面の円形部分３１からの点状の可視光が漏れることになる。例えば、前面で点状の可視光で商品を照明し、背面のダイクロイックミラー２で装飾的な色光を出すことができる。従って、実施の形態２のハロゲンランプ１は、実施の形態１のハロゲンランプ１に比して、より装飾的な効果を出すことができる。同様に、図８（ｂ）は本発明の実施の形態２を変形したハロゲンランプの外観図である。
【００３７】
このハロゲンランプ１は、この反射コーティング膜８ａを施さない星形部分３２を配置したものである。これらの本実施の形態２のハロゲンランプ１で理解されるように、反射コーティング膜８ａを施さない形状、サイズ、数量は、目的によって選択すると良い。
【００３８】
〔ハロゲンランプの実施の形態３〕
図９は、本発明の実施の形態３のハロゲンランプ１である。前述した実施の形態１のハロゲンランプ１のダイクロイックミラー２は、半球殻形状または略半球殻形状の透明ガラス基体４と、透明ガラス基体４に被膜された多層膜４ａにより形成されている。実施の形態３のハロゲンランプ１は、ダイクロイックミラー２の透明ガラス基体４の表面に、矩形で平面のカット面３５を形成したものである。従って、このカット面３５の形成により、屈折率が部分的に異なるのでダイクロイックミラー２を通過した可視光は、より複雑な色彩模様を呈することになる。このカット面３５の凹凸形状を選択することによって、例えば花びら模様等の種々の複雑な光模様を演出でき、かつカット面３５による外観上の美的効果もある。
【００３９】
〔ハロゲンランプの実施の形態４〕
図１０は、本発明の実施の形態４のハロゲンランプの外観図である。前述した実施の形態２のハロゲンランプ１は、前端面の反射体８に反射コーティング膜８ａを施さない円形部分３１を配置したものであった。本発明の実施の形態４のハロゲンランプ１は、反射コーティング膜８ａの種類を部分的に変えて、等間隔の帯状部分３６を配置したものである。この帯状部分３６は、この部分のみを蒸着される物質を変えたものである。例えば、この部分に赤色光のみを透過させるものであっても良い。
【００４０】
以上、本発明の実施の形態を説明したが、本発明がこの実施の形態に限定されない。本発明の目的、趣旨を逸脱しない範囲内での変更が可能なことはいうまでもない
【図面の簡単な説明】
【００４１】
【図１】図１は、本発明の実施の形態１のハロゲンランプの断面図である。
【図２】図２は、本発明のハロゲンランプの光の軌跡を描いた説明図である。
【図３】図３は、ハロゲンランプの電気接続状態を示した説明図である。
【図４】図４（ａ），（ｂ）は、本発明のハロゲンランプを採用した照明機器１の正面図である。
【図５】図５は、本発明のハロゲンランプを採用した照明機器２の正面図である。
【図６】図６は、本発明のハロゲンランプを採用した照明機器３の正面図であり、（ａ）は正面図、（ｂ）は断面図である。
【図７】図７は、本発明のハロゲンランプを採用した食品陳列棚の斜視図である。
【図８】図８（ａ）は本発明の実施の形態２のハロゲンランプの外観図であり、図８（ｂ）は本発明の実施の形態３のハロゲンランプの外観図である。
【図９】図９は、本発明の実施の形態３のハロゲンランプの外観図である。
【図１０】図１０は、本発明の実施の形態４のハロゲンランプの外観図である。
【符号の説明】
【００４２】
１  …  ハロゲンランプ
２ …  ダイクロイックミラー
２ａ…  背面部  
２ｂ…  開口部
３ …  ハロゲン電球
４ …  透明ガラス基体
５ …  口金
７ …  前面ガラス
８ …  反射体
８ａ…  反射コーティング膜
９ａ…  挿通孔
９ｂ…  ネック部
１０ …  受電ピン
１１ …  フィラメント
１２，１５，１８ …  設置基台
１３ …  支柱
１４，１６，１７，２０ …  照明器具
２３ …  レールコンセント
２５ａ，２５ｂ，２５ｃ，２５ｄ，２５ｅ， …  ハロゲンランプ
２８ …  商品陳列棚
【図１】
2007134216.tif 000003
【図２】
2007134216.tif 000004
【図３】
2007134216.tif 000005
【図４】
2007134216.tif 000006
【図５】
2007134216.tif 000007
【図６】
2007134216.tif 000008
【図７】
2007134216.tif 000009
【図８】
2007134216.tif 000010
【図９】
2007134216.tif 000011
【図１０】
2007134216.tif 000012